(57)【要約】【課題】遮断かんの取り付けが容易な腕木式遮断機の遮断かん折損防止装置を提供する。【解決手段】遮断機に固定する固定筒の一端に固着された固定板と、該固定板の一面に回動可能に設けられ、反固定板側に延在する遮断かんホルダー３４を有する可動板３３と、該可動板３３の固定板側に連結され、遮断かん２に高荷重が作用したとき、荷重方向に伸長して遮断かん２を変位させるリンク機構と、可動板３３に回動可能に設けられ、固定板と係合して可動板３３の運動を拘束するロッカーと、を備える腕木式遮断機の遮断かん折損防止装置において、遮断かんホルダー３４の開口端の近傍に、突出部３７１を備えて遮断かん２の基端部２１が当接可能な案内手段３７を形成し、この突出部３７１の内面に遮断かん２の外周面を当接させて、遮断かんホルダー３４の開口内に遮断かん２の基端部２１を挿入するようにした。【選択図】図３
2009045984.tif 000002
【特許請求の範囲】
【請求項１】
遮断機に固定するための固定筒と、該固定筒の一端に固着された固定板と、該固定板の一面に回動可能に設けられ、反固定板側に延在する遮断かん用保持器を有する可動板と、該可動板の固定板側に連結され、遮断かんに高荷重が作用したとき、荷重方向に伸長して遮断かんを変位させるリンク機構と、前記可動板に回動可能に設けられ、前記固定板と係合して前記可動板の運動を拘束するロッカーと、を備える腕木式遮断機の遮断かん折損防止装置において、
前記遮断かん用保持器の開口端の近傍に、遮断かんの基端部が当接可能な案内手段を形成し、前記遮断かん用保持器の開口内に、前記案内手段を介して前記遮断かんの基端部を挿入するようにしたことを特徴とする腕木式遮断機の遮断かん折損防止装置。
【請求項２】
前記案内手段は、前記遮断かん用保持器の開口端から突出する突出部を備え、この突出部の内面に前記遮断かんの外周面が当接するようにしたことを特徴とする請求項１記載の腕木式遮断機の遮断かん折損防止装置。
【請求項３】
前記案内手段は、前記遮断かんの基端部を挿入可能に、前記開口端の一部を閉塞する閉塞板を備え、この閉塞板に遮断かんの基端を載置可能にしたことを特徴とする請求項１または２に記載の腕木式遮断機の遮断かん折損防止装置。
【発明の詳細な説明】
【技術分野】
【０００１】
本発明は、腕木式遮断機において、遮断かんの破損を防止するために付設される遮断かん折損防止装置に関するものである。
【背景技術】
【０００２】
腕木式遮断機には、供用中の遮断かんの破損等を回避する目的で、遮断かん折損防止装置を付設することが行われている。この遮断かん折損防止装置は、例えば、踏切を通行する自動車などがブレーキ操作の遅れなどから遮断かんに衝突してしまう事故を想定して提案されたもので、衝突時の衝撃荷重を弱めることで遮断かんの破損を回避するためのものである。
【０００３】
この種の遮断かん折損防止装置は、遮断機が降りた状態で踏切を通行する自動車などが、遮断かんに衝突する可能性がある場合に機能させるのが本来の使い方である。即ち、遮断かん折損防止装置は、列車が踏切へ接近して遮断かんが下降を開始しているにも拘らず無謀に通過しようとしたり、踏切を横断中に遮断かんが下降を開始してしまい、踏切内に閉じ込められることを避けるために、強引に脱出を図るときに、遮断かんの折損を防止するための装置である。
【０００４】
そして、腕木式遮断機における遮断かん折損防止装置の基本的な構成は、例えば、特許文献１に記載されている。
【０００５】
【特許文献１】実公昭６３−３２０４１号公報
【発明の開示】
【発明が解決しようとする課題】
【０００６】
ところで、腕木式遮断機においては、遮断かんに自動車が衝突して、万が一、遮断かんが破損してしまった場合には、列車等の安全運行を確保するために、大至急復旧しなければならない。
【０００７】
しかしながら、前記した特許文献１に記載された従来の遮断かん折損防止装置は、断面形状がほゞＵ字状の遮断かん被覆体に対して、Ｕボルトを締め込んで遮断かんを取り付けているため、交換時に遮断かんを所定位置にセットしなければならなかった。具体的には、遮断かんの基端部分を、遮断かん被覆体とＵボルトとの間に差し込まなければならなかった。
【０００８】
しかも、遮断かんは、例えば約８メートルにも達する長尺な部材であるために、重量の割に取り扱いが面倒である。また、復旧作業、言い換えると遮断かんの交換作業は、通常、列車等が通過しない合間を縫って行なわれている。このため、遮断機が作動していない状態、即ち列車等が接近することなく、遮断かんが起立した状態において、破損した遮断かんを撤去すると共に、新たな遮断かんを装着することになる。
【０００９】
そこで、作業員は、長尺な遮断かんの起立状態を保ちながら、この遮断かんの基端部分を、遮断機に付設されている遮断かん折損防止装置の所定の位置に持って行かなければならない。このとき、起立させた状態にある遮断かんは、風の影響を受け易く、また重心の位置が高いため、安定させることが困難である。
【００１０】
このため、遮断かん折損防止装置の所定位置に、この遮断かんの基端部分を合わせることが難しかった。特に、強い風が吹いているときには、風にあおわれるために更にふら付き易く、仲々、所定の位置に挿入できなかったり、風に押されて作業者が誤って路線内に立ち入ってしまうことが、しばしばあった。
【００１１】
本発明が解決しようとする課題は、遮断かんの取り付けが容易な腕木式遮断機の遮断かん折損防止装置を提供することを目的とする。
【課題を解決するための手段】
【００１２】
請求項１に係る発明は、遮断機に固定するための固定筒と、該固定筒の一端に固着された固定板と、該固定板の一面に回動可能に設けられ、反固定板側に延在する遮断かん用保持器を有する可動板と、該可動板の固定板側に連結され、遮断かんに高荷重が作用したとき、荷重方向に伸長して遮断かんを変位させるリンク機構と、前記可動板に回動可能に設けられ、前記固定板と係合して前記可動板の運動を拘束するロッカーと、を備える腕木式遮断機の遮断かん折損防止装置において、前記遮断かん用保持器の開口端の近傍に、遮断かんの基端部が当接可能な案内手段を形成し、前記遮断かん用保持器の開口内に、前記案内手段を介して前記遮断かんの基端部を挿入するようにしたものである。
とを特徴とする。
腕木式遮断機の遮断かん折損防止装置である。
【００１３】
請求項２に係る発明は、請求項１に記載した腕木式遮断機の遮断かん折損防止装置において、前記案内手段は、前記遮断かん用保持器の開口端から突出する突出部を備え、この突出部の内面に前記遮断かんの外周面が当接するようにしたものである。
【００１４】
請求項３に係る発明は、請求項１または２に記載した腕木式遮断機の遮断かん折損防止装置において、前記案内手段は、前記遮断かんの基端部を挿入可能に、前記開口端の一部を閉塞する閉塞板を備え、この閉塞板に遮断かんの基端を載置可能にしたものである。
【発明の効果】
【００１５】
本発明によれば、遮断かんの基端部を、遮断かん折損防止装置の所定位置に形成した案内手段に当接させることにより、遮断かんを安定して保持することができる。このため、遮断かんの基端部を所定の開口端から挿入孔へ容易に挿入して固定することができ、遮断かんの復旧における作業性を著しく向上させることができる。また、遮断かんを安定して保持することができるので、安全に作業を行うことが可能である。
【発明を実施するための最良の形態】
【００１６】
本発明による腕木式遮断機の遮断かん折損防止装置について図面を参照して説明する。図１は遮断かん折損防止装置を付設した腕木式遮断機の概略正面図であり、図２（ａ）は遮断かん折損防止装置の平面図、図２（ｂ）は遮断かん折損防止装置の正面図、図２（ｃ）は遮断かん折損防止装置の右側面図である。そして、遮断かん２は、遮断かん折損防止装置３を介して遮断機１に装着してある。
【００１７】
遮断かん折損防止装置３は、遮断機１に装着される中空の固定筒３１を備える。この固定筒３１の一端には固定板３２が設けられている。また、遮断かん折損防止装置３は、固定板３２の一面に可動板３３が回動可能に設けられ、この可動板３３の反固定板側には遮断かん用保持器３４が延在している。
【００１８】
可動板３３の固定板側には、遮断かん２に高荷重が作用したとき、荷重方向に伸長して遮断かん２を変位させるリンク機構（図示せず）が連結されている。また、可動板３３には、固定板３２と係合して当該可動板３３の運動を拘束するロッカー３５が、自重によって回動可能に設けられている。
【００１９】
そして、遮断かん用保持器３４（以下、遮断かんホルダー３４という。）を備える可動板３３は、固定板３２に固着される一対の枢軸３６ａ、３６ｂを有し、これらの枢軸３６ａ、３６ｂを中心として相反する２つの方向に回動できるようになっている。
【００２０】
回動する可動板３３には、遮断かん２を保持する遮断かんホルダー３４が取り付けられている。遮断かんホルダー３４は、ほゞ円筒状の樋形本体３４１と、この樋形本体３４１に装着される蝶ボルト３４２と、この蝶ボルト３４２のねじと螺合する調整ナット３４３とを有している。なお、蝶ボルト３４２は、それぞれの先端に、例えばゴム製の押え板３４５を備えており、この押え板３４５が樋形本体３４１の内部に収納されている。
【００２１】
遮断かんホルダー３４の樋形本体３４１は、ほゞ半円形の断面形状を有する上側樋体３４１ａと、この上側樋体３４１ａの下側に位置し、いわゆる樋形あるいはほゞ逆台形の断面形状を有する下側樋体３４１ｂとを、結合して筒状に構成してある。そして、前記した押え板３４５が、下側樋体３４１ｂに蝶ボルト３４２の旋回によって上下動するように取り付けてある。
【００２２】
この筒状の遮断かんホルダー３４は、一端が可動板３３に固定されて閉塞しており、可動板３３と共に相反する方向に回動することができる。また、遮断かんホルダー３４の前記上側樋体３４１ａ及び下側樋体３４１ｂ並びに押え板３４５は、遮断かん２のほゞ円筒状の挿入孔を形成し、前記した可動板３３はこの挿入孔の底板となる。
【００２３】
一方、遮断かんホルダー３４の開口する他端、即ち開口端の近傍には、遮断かん２の基端部２１が当接可能な案内手段３７が形成してある。この案内手段３７は、例えば図示の実施例では、上側樋体３４１ａの先端が下側樋体３４１ｂの先端から突出するように形成して、上側樋体３４１ａの先端部分に突出部３７１が設けてある。言い換えると、挿入孔は、遮断かんホルダー３４の軸線方向と、この軸線方向と直交する方向の２方向に開口しているといえる。更に言えば、挿入孔は、２面が開口し、これらの開口する部分の形状や面積は、変化しない。
【００２４】
そして、案内手段３７は、遮断かん２の基端部２１を、遮断かんホルダー３４の挿入孔へ案内する部位である。即ち、遮断かん２の基端部２１の外周面を、案内手段３７を構成する突出部３７１の内面に当接させることにより、遮断かん２を安定させ、遮断かん２を遮断かんホルダー３４の挿入孔へ挿入し易くするのである。
【００２５】
具体的には、図３（ａ）に示すように、列車等が接近することなく起立状態にある遮断かんホルダー３４に、起立させた遮断かん２の基端部２１を接近させる。次に、図３（ｂ）に示すように、遮断かん２の基端部２１の外周面を、遮断かんホルダー３４の突出部３７１の内周面に、側方から当接させる。この状態にすると、遮断かん２の軸線と遮断かん２の挿入孔の軸線とが一致することになる。
【００２６】
そこで、図３（ｃ）に示すように、遮断かん２を下降させて挿入孔に挿入し、蝶ボルト３４２を締め込むことにより、押え板３４５を介して遮断かん２の基端部２１を遮断かんホルダー３４に固定する。
【００２７】
このような案内手段３７によれば、遮断かん２を起立させた状態であっても、短時間で遮断かん２を安全、確実に固定することができる。また、遮断かん２が起立状態にあっても、基端部２１を遮断かんホルダー３４の案内手段３７である突出部３７１に当接させているので、風が吹いても、風圧を遮断かんホルダー３４に分散させることができるので、安定して保持可能である。
【００２８】
また、遮断機１が作動した状態、言い換えると、遮断かん２が下降して、踏切内への立ち入りを禁止するように、遮断かんホルダー３４がほゞ水平状態にあるときに、復旧作業を行なう場合であっても、遮断かん２の基端部２１を、遮断かんホルダー３４の内面に当接するようにして行なえば、遮断かん２を安定して保持することができ、作業性が向上する。
【００２９】
また、図示の実施例においては、下側樋体３４１ｂの端部に、遮断かん２の挿入を妨げないように、閉塞板３７２を設けている。即ち、遮断かんホルダー３４の開口端の一部を閉塞するように、下側樋体３４１ｂの端面部分に閉塞板３７２を設けて、案内手段３７としている。
【００３０】
この案内手段３７によれば、遮断かんホルダー３４が起立して水平状態にある閉塞板３７２の上に、遮断かん２の基端部２１を、一旦載置することができる。そして、載置した遮断かん２を、突出部３７１の方向へ水平移動させたのち、下降させて挿入孔へ挿入することができる。
【００３１】
この実施例によっても、遮断かん２を安定させながら、所定の挿入孔へ容易に挿入して固定することができる。従って、遮断かん２の復旧における作業性が著しく向上する。
【００３２】
図４は、案内手段３７の他の実施例を示す遮断かんホルダー３４の斜視図である。この実施例においては、案内手段３７を、下側樋体３４１ｂ及び遮断かん２の固定部材である押え板３４５によって形成している。即ち、上側樋体３４１ａの長さを、下側樋体３４１ｂの長さよりも短く形成して、下側樋体３４１ｂの側壁部が上側樋体３４１ａの端部から突出するように形成すると共に、遮断かん２の固定手段である押え板３４５が外部から見えるように形成するのである。なお、前記した実施例と同じ機能を有する部位には、同じ符号を付して説明を省略する。
【００３３】
このように、遮断かん２の固定手段である押え板３４５が露出するように形成しておくと、遮断かん２を挿入孔に装着する際に、押え板３４５の表面に、遮断かん２の基端部２１を当接させることができ、押え板３４５の表面を手掛かりとして、遮断かんホルダー３４の挿入孔へ、遮断かん２の基端部２１を案内することができる。
【００３４】
この実施例は、遮断かん２が起立している状態ばかりではなく、遮断機１が作動して、遮断かん２が横に倒れているときに利用すると、効果的である。即ち、遮断かん２が横に倒れた状態では、固定手段である押え板３４５が上方を向いているので、この押え板３４５に遮断かん２の基端部２１を、上方から臨ませることができ、このまま遮断かん２の基端部２１を押え板３４５の上面に沿って、遮断かんホルダー３４の挿入孔に押し込むことができる。このとき、遮断かん２の重量の一部を、遮断かんホルダー３４で支えることができるので、作業者は遮断かん２の取付作業を楽に行うことが可能である。
【００３５】
以上、本発明を図示の実施例について説明したが、本発明は前記した各実施例に限定されるものではなく、特許請求の範囲に記載した構成を変更しない限り適宜に実施できる。例えば、遮断かん用保持器に形成する案内手段は、遮断かんの基端部が当接できればどのような形状であっても、遮断かん用保持器の開口端のどの位置でもよく、例えば上側樋体と下側樋体とに跨らせて設けることもできる。
【図面の簡単な説明】
【００３６】
【図１】本発明に係る遮断かん折損防止装置を備える腕木式遮断機の概略正面図である。
【図２】遮断かん折損防止装置の一実施例を示すもので、（ａ）は遮断かん折損防止装置の平面図、（ｂ）は遮断かん折損防止装置の正面図、（ｃ）は遮断かん折損防止装置の右側面図である。
【図３】遮断かんを遮断かん用保持器に装着する手順を示す説明図である。
【図４】遮断かん折損防止装置の他の実施例を示す斜視図である。
【符号の説明】
【００３７】
１  遮断機
２  遮断かん
３  折損防止装置
２１  基端部
３１  固定筒
３２  固定板
３３  可動板
３４  遮断かん用保持器
３５  ロッカー
３６ａ  枢軸
３６ｂ  枢軸
３７  案内手段
３４１  樋形本体
３４１ａ  上側樋体
３４１ｂ  下側樋体
３４２  蝶ボルト
３４３  調整ナット
３４５  押え板
３７１  突出部
３７２  閉塞板
【図１】
2009045984.tif 000003
【図２】
2009045984.tif 000004
【図３】
2009045984.tif 000005
【図４】
2009045984.tif 000006